(57)【要約】      （修正有）【課題】花が終わったフラワーベースの再利用を促進し、省資源や地球環境保護の一助とする花卉梱包体を提供する。【解決手段】フラワーベース１と、フラワーベース１に植え込まれた花卉２と、フラワーベース１を無料回収する旨が印刷された無料回収パンフレット３と、フラワーベース１の無料回収先の住所が送り先として印字された宅配便送り状４とが梱包箱５に同梱されている。無料回収パンフレット３及び宅配便送り状４は透明ケース７に入れられ、花卉２の根本に挟み込まれるか、ベース固定具６の上面に貼り付けられている。【選択図】図１
0003142701.tif 000002
【実用新案登録請求の範囲】
【請求項１】
フラワーベースと、フラワーベースに植え込まれた花卉と、フラワーベースを無料回収する旨が印刷された無料回収パンフレットと、フラワーベースの無料回収先の住所が送り先として印字された宅配便送り状と、フラワーベース、花卉、無料回収パンフレット及び宅配便送り状を内部に梱包した梱包箱とから成ることを特徴とする花卉梱包体。
【請求項２】
前記無料回収パンフレット及び宅配便送り状は、透明ケースに入れた状態で前記梱包箱内に梱包されていることを特徴とする請求項１記載の花卉梱包体。
【請求項３】
前記無料回収パンフレット及び宅配便送り状を入れた透明ケースは、花卉の根本に挟み込まれていることを特徴とする請求項２記載の花卉梱包体。
【請求項４】
前記フラワーベースはベース固定具で固定されていて前記梱包箱内でぐらつかないようになっており、前記無料回収パンフレット及び宅配便送り状を入れた透明ケースは、ベース固定具の上面に貼り付けられていることを特徴とする請求項２記載の花卉梱包体。
【請求項５】
前記無料回収パンフレット及び宅配便送り状を入れた透明ケースは、梱包箱の内面に貼り付けされていることを特徴とする請求項２記載の花卉梱包体。
【請求項６】
フラワーベースと、フラワーベースに植え込まれた花卉と、フラワーベースを無料回収する旨が印刷された無料回収パンフレットと、フラワーベース、花卉、無料回収パンフレットを内部に梱包した梱包箱とから成り、
無料回収パンフレットには、無料回収を依頼する際の連絡先の情報が表記された連絡先印刷部が設けられており、
フラワーベースには、そのフラワーベースが無料回収対象であることを示すシールが貼られていることを特徴とする花卉梱包体。
【請求項７】
前記無料回収パンフレットは、透明ケースに入れた状態で前記梱包箱内に梱包されていることを特徴とする請求項６記載の花卉梱包体。
【請求項８】
前記無料回収パンフレットを入れた透明ケースは、花卉の根本に挟み込まれていることを特徴とする請求項７記載の花卉梱包体。
【請求項９】
前記フラワーベースはベース固定具で固定されていて前記梱包箱内でぐらつかないようになっており、前記無料回収パンフレット入れた透明ケースは、ベース固定具の上面に貼り付けられていることを特徴とする請求項７記載の花卉梱包体。
【請求項１０】
前記無料回収パンフレットを入れた透明ケースは、梱包箱の内面に貼り付けされていることを特徴とする請求項７記載の花卉梱包体。
【請求項１１】
フラワーベースと、フラワーベースに植え込まれた花卉と、無料回収パンフレットと、無料回収対象であることを示すシールがシール台紙に貼られたシールシートと、フラワーベース、花卉、無料回収パンフレット及びシールシートを内部に梱包した梱包箱とから成り、
無料回収パンフレットには、フラワーベースを無料回収する旨と無料回収を依頼する際にはシールを回収用箱の外面に貼って欲しい旨が印刷されており、無料回収パンフレットには、無料回収を依頼する際の連絡先の情報が表記された連絡先印刷部が設けられていることを特徴とする花卉梱包体。
【請求項１２】
前記無料回収パンフレット及びシールシートは、透明ケースに入れた状態で前記梱包箱内に梱包されていることを特徴とする請求項１１記載の花卉梱包体。
【請求項１３】
前記無料回収パンフレット及びシールシートを入れた透明ケースは、花卉の根本に挟み込まれていることを特徴とする請求項１２記載の花卉梱包体。
【請求項１４】
前記フラワーベースはベース固定具で固定されていて前記梱包箱内でぐらつかないようになっており、前記無料回収パンフレット及びシールシートを入れた透明ケースは、ベース固定具の上面に貼り付けられていることを特徴とする請求項１２記載の花卉梱包体。
【請求項１５】
前記無料回収パンフレット及びシールシートを入れた透明ケースは、梱包箱の内面に貼り付けされていることを特徴とする請求項１２記載の花卉梱包体。
【考案の詳細な説明】
【技術分野】
【０００１】
本願の考案は、花卉を梱包箱の内部に収納した花卉梱包体に関するものである。
【背景技術】
【０００２】
開店祝いのようなお祝い等の際に、胡蝶蘭のような高価な花卉を贈答することが行われている。このような花卉は、フラワーショップ等から配達されることが多いが、胡蝶蘭のような栽培が難しい花卉の場合、花が終わってしまった場合、さらに栽培を続けて再度花を咲かせることは素人には難しい。したがって、花が終わった際に花卉は廃棄されてしまう場合が多い。
他方、花卉は、植えの状態即ちフラワーベース（鉢）に植えられた販売されることが多いが、花が終わってしまい廃棄する際、フラワーベースは不燃物として廃棄しなければならない。花卉自体は可燃物として廃棄でき、土は庭などに廃棄することができるが、フラワーベースは不燃物として廃棄しなければならない。
【考案の開示】
【考案が解決しようとする課題】
【０００３】
花卉の栽培を自宅で好んで行っているような者の場合は、使用したフラワーベースを他の花卉用に再利用することもあるが、花卉の栽培を行わない者や会社等のオフィスでは、花が終わった後にフラワーベースが再利用されることはまずなく、廃棄処分される。
したがって、花卉販売の業界全体で見ると、膨大な量のフラワーベースが廃棄されており、省資源や地球環境保護の観点から問題視されるべきである。
本願の考案は、このような課題を解決するためになされたものであり、花が終わったフラワーベースの再利用を促進し、省資源や地球環境保護の一助とする技術的意義を有するものである。
【課題を解決するための手段】
【０００４】
上記課題を解決するため、本願の請求項１記載の考案は、フラワーベースと、フラワーベースに植え込まれた花卉と、フラワーベースを無料回収する旨が印刷された無料回収パンフレットと、フラワーベースの無料回収先の住所が送り先として印字された宅配便送り状と、フラワーベース、花卉、無料回収パンフレット及び宅配便送り状を内部に梱包した梱包箱とから成るという構成を有する。
また、上記課題を解決するため、請求項２記載の考案は、前記請求項１の構成において、前記無料回収パンフレット及び宅配便送り状は、透明ケースに入れた状態で前記梱包箱内に梱包されているという構成を有する。
また、上記課題を解決するため、請求項３記載の考案は、前記請求項２の構成において、前記無料回収パンフレット及び宅配便送り状を入れた透明ケースは、花卉の根本に挟み込まれているという構成を有する。
また、上記課題を解決するため、請求項４記載の考案は、前記請求項２の構成において、前記フラワーベースはベース固定具で固定されていて前記梱包箱内でぐらつかないようになっており、前記無料回収パンフレット及び宅配便送り状を入れた透明ケースは、ベース固定具の上面に貼り付けられているという構成を有する。
また、上記課題を解決するため、請求項５記載の考案は、前記請求項２の構成において、前記無料回収パンフレット及び宅配便送り状を入れた透明ケースは、梱包箱の内面に貼り付けされているという構成を有する。
また、上記課題を解決するため、請求項６記載の考案は、フラワーベースと、フラワーベースに植え込まれた花卉と、フラワーベースを無料回収する旨が印刷された無料回収パンフレットと、フラワーベース、花卉、無料回収パンフレットを内部に梱包した梱包箱とから成り、無料回収パンフレットには、無料回収を依頼する際の連絡先の情報が表記された連絡先印刷部が設けられており、フラワーベースには、そのフラワーベースが無料回収対象であることを示すシールが貼られているという構成を有する。
また、上記課題を解決するため、請求項７記載の考案は、前記請求項６の構成において、前記無料回収パンフレットは、透明ケースに入れた状態で前記梱包箱内に梱包されているという構成を有する。
また、上記課題を解決するため、請求項８記載の考案は、前記請求項７の構成において、前記無料回収パンフレットを入れた透明ケースは、花卉の根本に挟み込まれているという構成を有する。
また、上記課題を解決するため、請求項９記載の考案は、前記請求項７の構成において、前記フラワーベースはベース固定具で固定されていて前記梱包箱内でぐらつかないようになっており、前記無料回収パンフレット入れた透明ケースは、ベース固定具の上面に貼り付けられているという構成を有する。
また、上記課題を解決するため、請求項１０記載の考案は、前記請求項７の構成において、前記無料回収パンフレット及び宅配便送り状を入れた透明ケースは、梱包箱の内面に貼り付けされているという構成を有する。
また、上記課題を解決するため、請求項１１記載の考案は、フラワーベースと、フラワーベースに植え込まれた花卉と、無料回収パンフレットと、無料回収対象であることを示すシールがシール台紙に貼られたシールシートと、フラワーベース、花卉、無料回収パンフレット及びシールシートを内部に梱包した梱包箱とから成り、
無料回収パンフレットには、フラワーベースを無料回収する旨と無料回収を依頼する際にはシールを回収用箱の外面に貼って欲しい旨が印刷されており、無料回収パンフレットには、無料回収を依頼する際の連絡先の情報が表記された連絡先印刷部が設けられているという構成を有する。
また、上記課題を解決するため、請求項１２記載の考案は、前記請求項１１の構成において、前記無料回収パンフレット及びシールシートは、透明ケースに入れた状態で前記梱包箱内に梱包されているという構成を有する。
また、上記課題を解決するため、請求項１３記載の考案は、前記請求項１２の構成において、前記無料回収パンフレット及びシールシートを入れた透明ケースは、花卉の根本に挟み込まれているという構成を有する。
また、上記課題を解決するため、請求項１４記載の考案は、前記請求項１２の構成において、前記フラワーベースはベース固定具で固定されていて前記梱包箱内でぐらつかないようになっており、前記無料回収パンフレット及びシールシートを入れた透明ケースは、ベース固定具の上面に貼り付けられているという構成を有する。
また、上記課題を解決するため、請求項１５記載の考案は、前記請求項１２の構成において、前記無料回収パンフレット及びシールシートを入れた透明ケースは、梱包箱の内面に貼り付けされているという構成を有する。
【考案の効果】
【０００５】
以下に説明する通り、本願の各請求項の考案によれば、花卉が届いた者（購入者、贈呈を受けた者等）は、フラワーベースの無料回収サービスがあることを知ることになり、花が終わった後にフラワーベースを無料回収者に容易に送ることができる。したがって、無駄に廃棄されるフラワーベースが少なくなり、省資源や地球環境保全の点で好適である。
【考案を実施するための最良の形態】
【０００６】
次に、本願考案を実施するための最良の形態（以下、実施形態）について説明する。
以下に説明する各実施形態の花卉梱包体は、購入者に車で輸送することで販売することが想定されているが、フラワーショップの店頭で手渡しで販売される場合もあり得る。図１は、本願考案の第一の実施形態に係る花卉梱包体の斜視概略図であり、図２は図１に示す花卉梱包体の正面断面概略図である。
図１に示す花卉梱包体は、フラワーベース１と、フラワーベース１に植え込まれた花卉２と、フラワーベース１を無料回収する旨が印刷された無料回収パンフレット３と、フラワーベース１の無料回収先の住所が送り先として印刷された宅配便送り状４と、フラワーベース１、花卉２、無料回収パンフレット３及び宅配便送り状４を内部に梱包した梱包箱５とから成っている。
【０００７】
フラワーベース１は、いわゆる鉢植えの鉢であり、多くの場合陶器製であるが、プラスチック製、ガラス製、金属製、紙製などのように、陶器製以外の場合もある。花卉２は、特に限定されるものではなく、各種のものを採用し得る。
花卉２と花卉２を植えたフラワーベース１（以下、「鉢植え」と呼ぶ）は、ベース固定具６で固定されている。ベース固定具６は、梱包箱５の内部で鉢植えがぐらつかないように固定するものである。
【０００８】
ベース固定具６は、段ボール製で、全体としては直方体の箱状である。ベース固定具６は、上面に固定用開口６０を有する。固定用開口６０は、固定するフラワーベース１よりも少し小さい大きさとなっている。固定用開口６０の縁には、図１に示すように切り込みが複数形成されている。切り込み形成で残った部位が、折り込み片６１となっている。鉢植えを固定する際には、切り込みを利用して折り込み片６１を下方に折り込ながら、フラワーベース１を固定用開口６０に押し入れる。折り込み片６１自体の弾性により、ある程度のクッション性を持ちながら鉢植えがベース固定具６に固定される。
【０００９】
梱包箱５も、本実施形態では段ボール製である。梱包箱５は、ベース固定具６とベース固定具６に固定された鉢植えとを全体に収容する大きさのものとなっている。梱包箱５も、全体としては直方体の箱となっている。梱包箱５の水平断面形状は、ベース固定具６の水平断面形状に一致しており、大きさが少し小さいものとなっている。即ち、梱包箱５は、ベース固定具６を嵌め込んだ状態で収容するものとなっている。
梱包箱５の高さは、鉢植え全体の高さよりも少し高いものとなっている。鉢植えをベース固定具６に固定した状態で、ベース固定具６を梱包箱５の内側に嵌め込みながら収容する。その上で、梱包箱５の上板部を閉じれば、収容が完了する。
【００１０】
図３は、無料回収パンフレートの詳細を示した図である。図３に示すように、無料回収パンフレット３は、梱包された花卉２に使用されているフラワーベース１を無料回収する旨の案内文が印刷されたものである。同梱した宅配便送り状４を使用して欲しい旨も印刷されている。
図４は、宅配便送り状４の詳細を示した図である。図４に示すように、宅配便送り状４には、送り先や品名が印刷されている。従って、送り主を記入するだけで発送ができるようになっている。
【００１１】
図５は、無料回収パンフレット３及び宅配便送り状４の同梱について示した斜視概略図である。本実施形態では、無料回収パンフレット３及び宅配便送り状４は、透明ケース７に収容された状態で同梱されるようになっている。透明ケース７は、ポリエチレンやポリプロピレン製であり、ダイレクトメール等で使用される透明封筒と同様のものである。無料回収パンフレット３及び宅配便送り状４とともに、同梱された花卉２の種類や栽培方法について説明した説明パンフレットが透明ケース７に収容される。
【００１２】
図６は、無料回収パンフレット３及び宅配便送り状４を収容した透明ケース７の同梱について示した概略図である。無料回収パンフレット３及び宅配便送り状４を収容した透明ケース（以下、収容透明ケースと呼ぶ）７１は、図６（１）に示すように、花卉２の茎に挟み込まれた状態で花卉２の根本に置く場合と、図６（２）に示すように、ベース固定具６の上面に貼り付ける場合とがある。根本に置く場合の方が簡便であるが、梱包箱５内で収容透明ケース７１が十分に固定されず、輸送の際に外れてしまうことがあり得る。収容透明ケース７１が外れてしまうと、ベース固定具６と梱包箱５の間に入り込んでしまうことがあり、この場合、購入者が梱包箱５を開けて鉢植えを取り出した際、収容透明ケース７１の存在に気がつかずに梱包箱５ごと廃棄してしまうことがあり得る。
収容透明ケース７１の貼り付けは多少面倒ではあるが、このような問題はない。また、ベース固定具６の上面に貼り付ける構造では、梱包箱５から鉢植えを取り出した際に、収容透明ケース７１がすぐに目に付くので、フラワーベース１が無料回収対象であることが了知される可能性が高い。
【００１３】
上記のような実施形態の花卉梱包体の販売について、以下に説明する。
上記花卉梱包体の状態で提供される花卉２は、街のフラワーショップの店頭での注文、インターネットサイト上での注文により販売される。例えば、ある開店祝いで鉢植えを注文する場合、街のフラワーショップに出向いて注文書に送り先を記入する等して注文し、代金をし払う。インターネットサイト上で注文する場合には、花卉販売のサイトにアクセスし、購入する花卉を選び、決済方法、送り先等を指定して注文する。
【００１４】
注文された花卉は、フラワーショップ、インターネットサイトの運営会社の倉庫などから車（トラック等）で配送される。問屋から直接配送される場合もある。この際、上述したような花卉梱包体が製作される。花卉２は、製造者（花卉農園等）から予めフラワーベース１に植えられた状態（鉢植えの状態）で、フラワーショップ、倉庫、問屋等に搬入される。フラワーショップ、倉庫、問屋等（以下、配送元という）では、上述したようにベース固定具６にフラワーべース１を嵌め込んで鉢植えをベース固定具６に固定し、梱包箱５内に収容する。そして、収容透明ケース７１を花卉２の根本に挟み込むか、ベース固定具６に貼り付けるかして同梱する。その上で、梱包箱５を封止する。
【００１５】
収容透明ケース７１は、予め用意されているか、配送元で用意するかである。予め用意する場合、フラワーベース１の無料回収サービスの運営主体（以下、無料回収者）が用意する場合がある。即ち、無料回収者は、無料回収パンフレット３を多数印刷して用意するとともに、宅配便送り状４に自分のところの住所を送り先として印字したものを多数用意する。そして、各々ひとつずつを透明ケース７に入れ、これを多数用意して配送元に予め送付しておく。配送元では、説明パンフレット等を追加して透明ケース７に入れ、梱包箱５に同梱する。
【００１６】
また、収容透明ケース７１は、配送元で用意される場合もある。例えば、無料回収者は、無料回収パンフレット３を多数印刷して配送元に送るとともに、自分のところの住所を送り先として印字した宅配便送り状４を多数用意して配送元に送っておく。配送元は、透明ケース７を自分のところで用意して無料回収パンフレット３、宅配便送り状４、説明パンフレット等を一つずつ透明ケース７に入れて収容透明ケース７１を作る。
【００１７】
このようにして花卉梱包体が製作されて配送されると、配送先（贈答品の場合は贈答先）では、梱包箱５を開け、鉢植えをベース固定具６から取り外しながら梱包箱５から取り出す。この際、収容透明ケース７１の存在に気づき、収容透明ケース７１から無料回収パンフレット３などを取り出す。そして、花が終わって鉢植えが不要になった場合、宅配便送り状４を使用してフラワーベース１を無料回収者に宅配便で送る。この回収用の箱は特に用意されていないので、送る者は適宜用意して送ることになる。尚、使用済みのフラワーベース１については、花卉２や土等を取り除いてフラワーベース１のみを送ることが望ましいが、必ずしもそれは強制されない。その点も、前述した無料回収パンフレット３に記載されている。
【００１８】
このようにして花卉梱包体の形で花卉２が販売・配送され、使用済みのフラワーベース１が宅配便で回収されると、無料回収者のところには使用済みのフラワーベース１が多数集まってくることになる。無料回収者は、必要に応じて土等を取り払い、フラワーベース１を洗浄して再利用する。再利用に際して、フラワーベース１を殺菌することもある。無料回収者は、花卉２の生産者である場合もあるが、洗浄等を行った後に花卉生産者に販売する業者（リサイクル業者）の場合もある。
【００１９】
上述した説明から解るように、本実施形態の花卉梱包体によれば、花卉２が届いた者（購入者、贈呈を受けた者等）は、フラワーベース１の無料回収サービスがあることを知ることになり、花が終わった後にフラワーベース１を無料回収者に容易に送ることができる。したがって、無駄に廃棄されるフラワーベース１が少なくなり、省資源や地球環境保全の点で好適である。
【００２０】
上記実施形態において、フラワーベース１の無料回収のための宅配便の料金は、花卉２の販売者において負担することが望ましい。再利用されるフラワーベース１の単価は安いため、無料回収者において宅配便料金を負担してしまうと、コスト的に割りに合わないものになってしまうからである。したがって、花卉２の販売者において負担するようにする。この場合、花卉２の販売価格の中に、実はフラワーベース１の無料回収にかかる宅配便料金も含まれていると考えることもできる。
【００２１】
尚、上記説明から解る通り、使用済みのフラワーベース１を無料回収者に送る際には、宅配便送り状４の送り主は、花卉２が届いた者であり、送り先は無料回収業者である。したがって、花卉２の販売者が宅配便料金を負担する場合、予め宅配便業者と契約をしておき、指定の送り状を使った場合には宅配便料金が花卉販売者に請求されるようにしておく。そして、その指定の送り状を負担する限り宅配便料金が販売者に請求されるようにしておく。この指定の送り状が、上記宅配便送り状４ということになる。
【００２２】
次に、第二の実施形態について説明する。
図７は、第二の実施形態に係る花卉梱包体の斜視概略図である。この第二の実施形態では、図７に示すように、宅配品送り状は梱包されない。その代わり、フラワーベース１には、シール８が貼られている。
図８は、図７に示すシール８の拡大図である。図８に示すように、シール８は、そのシール８が貼られたフラワーベース１が無料回収対象のものであることを表記したものである。
【００２３】
図９は、図７に示す第二の実施形態における無料回収パンフレット３の詳細を示した図である。図９に示すように、本実施形態においても、無料回収パンフレット３には、梱包された花卉２に使用されているフラワーベース１を無料回収する旨の案内文が印刷されている。そして、この実施形態では、無料回収を依頼する場合の連絡先の情報が印刷された箇所（以下、連絡先印刷部）３１が設けられている。連絡先印刷部３１には、連絡先として、電話番号、ＦＡＸ番号、電子メールアドレス及びＵＲＬが印刷されている。
【００２４】
第二の実施形態でも、説明パンフレットや無料回収パンフレット３が必要に応じて透明ケース７に入れられて同梱され、花卉が花卉梱包体の形で販売される。購入者又は贈呈された者において、花が終わって鉢植えが不要になった場合、無料回収パンフレット３に記載された連絡先に連絡し、無料回収を依頼する。
無料回収の連絡を受け付けるため、花卉の販売者又は無料回収業者がコールセンターのような運営窓口を設置する。運営窓口には、オペレーターとともに、電子メールでの問い合わせを受け付けるサーバ（以下、無料回収サーバ）その管理者、クライアントコンピュータ等が設けられる。尚、無料回収サーバやその管理者については、レンタルサーバ等、外部のサーバ業者に委託する場合もある。
【００２５】
例えば電話で無料回収依頼がされる場合を例にして説明すると、花卉の購入者又は被贈呈者は、無料回収パンフレット３の連絡先印刷部３１の表記に従って電話をかけ、無料回収を依頼する。この際、オペレータは、そのフラワーベース１にシール８が貼られているか電話で確認する。確認したら、オペレータは、フラワーベースを回収に行く先（購入者又は被贈呈者の住所）を電話で教えてもらい、記録を残す。そして、その記録に従い、宅配便業者に集荷の依頼をする。宅配便業者は、依頼に従ってフラワーベース１を回収し、無料回収者に配送する。
【００２６】
ＦＡＸで無料回収を依頼する場合には、購入者又は被贈呈者がＦＡＸで無料回収を依頼する旨を送信し、その際、回収先の住所を併せて記載することになる。無料回収用のＦＡＸ送信フォームを、花卉の販売の際に提供するようにしても良い。ＦＡＸ送信フォームは、無料回収パンフレット３等とともに透明ケース７に入れられて同梱される。
電子メールで連絡する場合は、花卉の購入者又は被贈呈者が電子メールを送って回収を希望する旨を伝える。無料回収サーバは、電子メールを自動返信するよう構成されており、自動返信されるメールには、無料回収のための情報入力を行うサイトのＵＲＬがハイパーリンクの形で記載されるようになっている。このＵＲＬは、無料回収パンフレット３に記載されているＵＲＬ（以下、無料回収ＵＲＬ）ものと同じである。
【００２７】
サイト上で無料回収の依頼をする場合、購入者又は被贈呈者がパソコン又は携帯電話等で無料回収ＵＲＬにアクセスする。無料回収ＵＲＬは、購入者又は被贈呈者の氏名（又は名称）や回収先の住所を入力するウェップページとなっており、住所を入力して送信ボタンをクリックすると、これらの情報が送信され、無料回収サーバに送られて保存されるようになっている。そして、オペレータは、クライアントコンピュータを操作し、無料回収サーバで保存された情報を読み出し、これに従って、宅配便業者に集荷の依頼を行う。
【００２８】
尚、ＦＡＸやサイト上での無料回収の受付の場合、シール８が貼られていることを確認しないので、宅配便業者が集荷に行った際には、シール８が貼られていないことが判明する場合もある。この場合、宅配便業者はフラワーベース１を回収しないことになるが、シール８が貼られていない場合、宅配便業者が行っても集荷はしない旨が、ＦＡＸ送信フォームやウェッブページ上に明記される。
また、無料回収のための宅配便送り状は、運営窓口においてオペレータが作成して宅配便業者に送る場合もあるが、オペレータが情報を伝えて宅配便業者が作成する場合もある。宅配便業者が宅配便送り状作成用のサイトを運営していて、運営窓口のオペレータがサイトにアクセスして情報を送ることで宅配便送り状が作成されることもある。
【００２９】
次に、第三の実施形態について説明する。
第三の実施形態は、第一の実施形態とほぼ同様の構成であるが、梱包箱５の構成と、収容透明ケース７１の貼付位置が異なっている。図１０は、第三の実施形態の花卉梱包体の斜視概略図である。
梱包箱５としては、図１に示すような通常の段ボール箱が採用されることもあるが、図１０に示すような開閉扉を設けた構成のものが採用されることもある。このうち、図１０では、上面の一部と側面の一部を占める断面Ｌ字状の扉部５１を備えた梱包箱５が使用されている。
【００３０】
図１０に示すような扉部５１をおいて、収容透明ケース７１は、目につき易い扉部５１の内面に貼り付けられる。また、扉部５１以外の部分の内面に貼り付けても良い。例えば、扉部５１とは反対側の側面を占める部分の内面に貼り付けると、扉部５１を開けた際に正面に見えるので、目につき易く好適である。
尚、図１０に示す例の他、上面の全部と側面の一部を占める断面Ｌ字状の扉部を備えた梱包箱や一つの側面の全体を占める扉部を備えた梱包箱が使用されることもある。
【００３１】
次に、第四の実施形態について説明する。
図１１は、第四の実施形態の花卉梱包体の斜視概略図である。第四の実施形態は、第二の実施形態と同じくシールを用いるものであるが、第二の実施形態とは異なり、シール８はフラワーベース１には貼り付けられていない。第四の実施形態では、図１１に示すように、シール８はシール台紙８１に貼り付けられいてシールシート８０の状態で同梱されている。シールシート８０は、無料回収パンフレット３とともに透明ケース７に入れられて同梱されている。
【００３２】
図１２は、図１１に示すシール８の詳細を示した図である。図１２に示すように、この実施形態におけるシール８は、それが貼られた箱の内部に無料回収対象のフラワーベースが収容されている旨を表記したものとなっている。
また、図１３は、第四の実施形態における無料回収パンフレット３の詳細を示した図である。図１３に示すように、この実施形態においても、無料回収パンフレット３には、フラワーベース１を無料回収する旨の案内文が印刷され、連絡先印刷部３１が設けられている。そしてさらに、無料回収を依頼する際にはシールを回収用箱の外面に貼って欲しい旨が印刷されている。回収用箱とは、典型的には宅配便で送る際に使用する段ボール箱のような収容箱である。
【００３３】
この実施形態においても、使用済みのフラワーベース１の無料回収を希望する者は、無料回収パンフレット３の連絡先印刷部３１に従って運営窓口に連絡し、宅配便業者に集荷に来てもらう。この際、無料回収を希望する者が用意した回収用箱にフラワーベース１を入れて梱包する。そして、シール８をシール台紙８１から剥がして回収用箱の外面に貼り、用意された宅配便送り状により回収用箱を回収業者に送る。
第二の実施形態では、シール８がフラワーベース１に貼られているので、回収業者においてフラワーベース１を再利用する際、シール８を剥がす作業が必要になる。一方、この第四の実施形態によれば、シール８は回収用箱に貼られているのみなので、この作業は不要である。従って、回収業者におけるフラワーベース１の再利用の際の手間が省けるという効果がある。
【００３４】
上記各実施形態では、梱包箱５は、直方体状であったが、梱包するフラワーベース１や花卉２の形状に合わせて適宜他の形状のものを採用し得る。梱包箱５が段ボール製であることは、全体の重量が軽くなる点や資源の再利用の点で好適であるが、断ボール製以外の梱包箱５を使用することもある。
透明ケース７を使用することは必須の条件ではなく、透明ではない通常のケースに入れても良い。尚、透明ケース７としては、片面のみが透明で、他方の面が透明ではないケースを用いる場合もある。
【００３５】
ベース固定具６は、上述した構成に限られるものではなく、梱包箱５内でフラワーベース１のぐらつきを防止できるものであれば、どんなものでも良い。尚、収容透明ケース７１をベース固定具６の上面に貼り付ける点は、収容透明ケース７１を発見し易くするメリットがある。収容透明カバーを花卉２の根本に挟み込む点も同様である。
また、各実施形態では、フラワーベース１を無料回収のために送る際の回収用箱への箱詰めは送る者（無料回収を希望する者）が行ったが、集荷に来た宅配便業者が行うこともある。また、フラワーベース回収に適した箱が用意されていて、それを宅配便業者が持参して箱詰めをする場合もある。
【図面の簡単な説明】
【００３６】
【図１】本願考案の実施形態に係る花卉梱包体の斜視概略図である。
【図２】図１に示す花卉梱包体の正面断面概略図である。
【図３】無料回収パンフレートの詳細を示した図である。
【図４】宅配便送り状４の詳細を示した図である。
【図５】無料回収パンフレット３及び宅配便送り状４の同梱について示した斜視概略図である。
【図６】無料回収パンフレット３及び宅配便送り状４を収容した透明ケース７の同梱について示した概略図である。
【図７】第二の実施形態に係る花卉梱包体の斜視概略図である。
【図８】図７に示すシール８の拡大図である。
【図９】図７に示す第二の実施形態における無料回収パンフレット３の詳細を示した図である。
【図１０】第三の実施形態の花卉梱包体の斜視概略図である。
【図１１】第四の実施形態の花卉梱包体の斜視概略図である。
【図１２】図１１に示すシール８の詳細を示した図である。
【図１３】第四の実施形態における無料回収パンフレット３の詳細を示した図である。
【符号の説明】
【００３７】
１  フラワーベース
２  花卉
３  無料回収パンフレット
４  宅配便送り状
５  梱包箱
６  ベース固定具
７  透明ケース
【図１】
0003142701.tif 000003
【図２】
0003142701.tif 000004
【図３】
0003142701.tif 000005
【図４】
0003142701.tif 000006
【図５】
0003142701.tif 000007
【図６】
0003142701.tif 000008
【図７】
0003142701.tif 000009
【図８】
0003142701.tif 000010
【図９】
0003142701.tif 000011
【図１０】
0003142701.tif 000012
【図１１】
0003142701.tif 000013
【図１２】
0003142701.tif 000014
【図１３】
0003142701.tif 000015
【手続補正書】
【提出日】平成20年4月7日(2008.4.7)
【手続補正１】
【補正対象書類名】図面
【補正対象項目名】図４
【補正方法】変更
【補正の内容】
【図４】
0003142701.tif 000016